(57)【特許請求の範囲】
【請求項１】
旋回可能なターレット盤の外周近くの位置に略等角度間隔で支点を設け、該支点にアーム端を支持せしめて先端が略ターレット盤中心位置に至る複数のアームを夫々単独回動可能に保持せしめると共に、上記アームの先端に夫々巻芯軸を支持可能ならしめて巻取中の巻芯軸の位置と、巻替えるための新巻芯軸との位置を自在に制御可能ならしめる一方、第１，第２のタッチローラを設け、第１のタッチローラを巻取中の巻取りロールに常時、接触せしめ、第２のタッチローラを満巻ロールの旋回に従って追従せしめるようにしたことを特徴とするターレット式巻取機。
【発明の詳細な説明】
【０００１】
【発明の属する技術分野】
本発明は巻取機、特にターレット式巻取機に関するものである。
【０００２】
【従来の技術】
製膜工程から送られてくるフィルム等は巻取機において巻芯に巻き取られるが、通常、巻取機ではある一定の長さが巻き取られると、巻き取られた巻芯から次の新巻芯に巻替えが行われる。
ターレット式巻取機はこの場合、満巻軸と、新巻芯軸が２軸のターレット又は多軸のターレット盤に設けられ、巻替えごとにターレット盤を旋回させて巻替えられる。
このターレット盤は巻取径に応じて巻芯軸間が決められ、巻径が大きくなればなる程、大きくなる。このため、巻径に応じて巻芯軸間が大きく、巻替え時のフィルムパス間が長くなり、伸び易いフィルム等ではネックインが発生したり、しわが発生する原因となっている。
【０００３】
また、巻芯軸間が大きい場合は、巻替え時に巻芯の移動距離が大きく、短サイクルの巻替えをすることが出来ない。
例えば、図４（イ）（ロ）は一般的な２軸ターレットによる巻取機であり、巻替え時、図４（ロ）に示すようにターレットＴを１８０°旋回して新巻芯をもつ巻取軸Ｓ１と、満巻側の巻取軸Ｓ２とを交替させ、途中の走行するフィルム等Ｆを切断装置Ｃにより切断して新巻取軸Ｓ１の巻芯にその切断端を巻き付ける。
この場合、ターレット旋回中のフィルム等はタッチローラＴＲに接触しながら巻き取られないため、フィルムパス間で巻取ロールＲ１にはしわが発生したり、巻きずれが生ずる。
このためにターレット旋回中であっても巻取ロールにタッチローラＴＲを接触させる必要があり、図５に示すように２軸ターレット式巻取機において、巻替え時のターレットＴ旋回中も満巻側の巻取ロールにタッチローラが接触するように別に第２のタッチローラを設けることが提案された。
【０００４】
しかし、第２のタッチローラのアームの長さは巻取ロールの最大径による大きさに関係し、常に満巻ロールに接触させることは難しい。そのため、２軸ターレット方式を３軸以上の多軸ターレットにして第２のタッチローラが常に満巻ロールに接触させることが試みられた。
【０００５】
また、一方、上記ターレット式とは別に図６に示す如く、２つの巻取軸Ｓ３、Ｓ４がターレットＴの中心軸Ｓ５を中心に回動するタッチローラＴＲつきロータリー式巻取機も提案されている。
【０００６】
【発明が解決しようとする課題】
ところが上記２軸を３軸以上にすることは巻径により巻芯軸間の距離が大きいと機械が大きくなり、当然に機械コストが上がり、またロータリー式でもターレットの中心軸部分のスペースが必要となる分、機械が大巾に大きくなり、コストが高くなる欠点がある。
【０００７】
本発明は上述の如き実状に鑑み、これに対処して、特に従来のターレット盤における２軸又は多軸の固定に対し、巻芯軸間の位置を変えることを見出すことにより、ターレット旋回中でも常にタッチローラを巻取ロールに接触させ、巻取ロールにおけるしわの発生を防止すると共に、機械の小形化を可能にし、コストの削減をはかることを目的とするものである。
【０００８】
【課題を解決するための手段】
即ち、上記目的に適合する本発明の特徴とするところは、旋回可能にターレット盤の外周近くの位置に略等角度間隔で支点を設け、該支点にアーム基端を支持せしめて先端が略ターレット盤中心位置に至る複数のアームを夫々、単独回動可能に保持せしめると共に、上記アームの先端に夫々巻芯軸を支持可能ならしめて巻取中の巻芯軸の位置と、巻替えるための新巻芯軸との位置を自在に制御可能ならしめる一方、第１，第２のタッチローラを設け、第１のタッチローラを巻取中の巻取ロールに常時、接触せしめ、第２のタッチローラを満巻ロールの旋回に従って追従せしめるようにしたターレット式巻取機にある。
【００１０】
【作用】
上記本発明巻取機は、巻取中の巻芯軸を巻取位置にアームを回動せしめ固定させ、巻取りを行って、これが満巻に近く達するとき、巻替え位置にあるさきの巻芯軸はさきの巻取りの満巻ロールの取り出しに続いて新巻芯が供給され、上記の満巻    ロールはターレット盤の中心軸付近において第２のタッチローラの追従と共にセンター巻取りに付され、ターレットの旋回と共に満巻ロールはそのターレット盤中心位置のままで、一方、新巻芯を受けた巻芯軸は巻取位置に旋回し、次いで満巻ロール側で所要の切断が行われ、新巻芯に上記切断の切断端の巻付けが行われて一連の作用動作が完了する。
【００１１】
【発明の実施の形態】
以下、更に本発明の具体的態様を添付図面に従って説明する。
【００１２】
図１は本発明に係る巻取機の１例を示し、図においてＴは旋回可能なターレット盤、１，３は上記ターレット盤Ｔの外周近くの位置で、互いに等角度間隔で対向する位置に夫々支点２，４を有し、略ターレット盤Ｔの中心軸位置に延びる長さを有して回動可能に保持されたアームであり、各アーム１，３の各先端には夫々巻芯軸Ａ，Ｂが保持されるようになっている。
【００１３】
ここで上記各アーム１，３は夫々、単独で回動可能であることが作動上、好ましい。
そして、図において巻取位置の巻芯軸Ａには送られてくるフィルム等Ｆを第１のタッチローラ５に添接して巻芯軸Ａで巻取りを行うと共に、巻取位置近傍には更に第２のタッチローラ６と、切断刃７が配設されており、第１及び第２のタッチローラ５，６はターレット盤外に支点９，１１を有するアーム８，１０に夫々回動可能に支着されている。
【００１４】
なお、図中、巻芯軸Ｂは巻替えのための満巻ロールＲの取出し、新巻芯の供給位置にあり、１２は取出し満巻ロールの運搬車、１３は巻芯軸のシャフト引抜き、差込み装置であり、側方に設けられた紙管棚１４上に並置された紙管よりなる巻芯１５を回動可能な巻芯供給アーム１６を介してシャフトに差し込み保持せしめる構成となっている。
【００１５】
図２及び図３は上記装置を順次作動してフィルム等の巻取りを行う工程を示しており、図２（イ）は巻芯軸Ａ（以下、単にＡ軸という）において巻取りを行うと共に巻芯軸Ｂ（以下、単にＢ軸という）では巻取ロールＲは満巻ロールとして停止状態におかれている。
そして、その状態より図２（ロ）の如くＡ軸の巻取りが進行し巻取径が増加すると共にＢ軸においては巻取ロールＲは満巻ロールとして運搬車１２に取り出される。
次に図２（ハ）に示すようＡ軸の巻取りが更に進むと共に運搬車１２上の満巻巻取ロールのＢ軸からシャフトが引き抜かれ、その後、図２（ニ）に示す如く満巻巻取ロールＲが放出され、Ｂ軸にシャフトが差し込まれて新巻芯供給の準備がなされる。
【００１６】
以上のようにしてＡ軸の巻取りが終わると、引き続き、図３（イ）〜（ニ）に示す工程が始まる。
即ち、図３（イ）に示す如く、Ａ軸の巻取りが進行し満巻に近付いて、第２タッチローラ６が接触を開始する。そして、満巻きされた巻取ロールＲは放出され、Ｂ軸には新巻芯１５がアーム１６の回動により供給される。
【００１７】
次に上記の状態に続いて図３（ロ）に示したようにＡ軸はアーム１の回動と共にターレット盤Ｔの中心位置に移行し、センター巻取りに付され、このとき第２のタッチローラ６はＡ軸の巻取ロールＲに追従して接触を続ける。そして、Ｂ軸には新しい巻芯が装着されている。
この状態でターレット盤Ｔは（ハ）図の矢印で示すように旋回し、Ｂ軸に第１のタッチローラ５が接触すると共に、Ａ軸側は第２タッチローラ６が接触した状態で切断刃７が作動して第１のタッチローラ５とターレット盤中心位置にある巻取ロールＲとの間のフィルム等Ｆを切断し、切断端の一方を巻取ロールＲに巻き付かせると共に、他方の切断端をＢ軸の新巻芯に巻き付かせる。
かくして以上の工程が終わると、Ａ，Ｂ両軸が入れ替わった状態で図２（イ）の状態に戻って一連の工程が終了する。
【００１８】
【発明の効果】
本発明は以上説明したように巻芯軸をターレット盤外周近くの位置に支点を設けたアームにより回動可能に支持して巻取中の位置と、巻替えるための新巻芯軸との位置を自在に制御せしめて最適な巻替動作を可能とするものであり、巻取ロール旋回中であっても設置されているタッチローラを常に接触させることを可能として伸び易いフィルム等であってもネツクインを発生したり、しわを発生させることもなく、密実に巻取ることを可能ならしめると共に、ターレットのセンター軸の必要もなく、小さな機械化ができて設備コストを大幅に削減することができる顕著な効果を有している。
【図面の簡単な説明】
【図１】本発明に係る巻取機の１例を示す概要図である。
【図２】本発明巻取機を用いた巻取態様であり、（イ）〜（ニ）はその前半工程を示す。
【図３】本発明巻取機を用いた巻取態様を示す図で、（イ）〜（ニ）は後半各工程を示す。
【図４】従来のターレット巻取機の巻取態様を示し、（イ）は巻替え前、（ロ）は巻替え後である。
【図５】従来のターレット巻取機の１例を示す図である。
【図６】従来のターレット巻取機の他の態様を示す図である。
【符号の説明】
Ｔ  ターレット盤
Ａ，Ｂ  巻芯軸
１，２  巻取アーム
３，４各巻取アームの支点
５，６  タッチローラ
７  切断装置
【図１】
0004301675.tif 000002
【図２】
0004301675.tif 000003
【図３】
0004301675.tif 000004
【図４】
0004301675.tif 000005
【図５】
0004301675.tif 000006
【図６】
0004301675.tif 000007